(57)【特許請求の範囲】
【請求項１】
筒状のケースと、
このケースの一端開口を閉塞する電波透過部材と、
前記ケースの他端開口を閉塞する金属製の蓋部材と、
前記ケース内に配置されたアンテナと
を備えた電波受信機器において、
前記ケースは、金属製の外ケースと、この外ケースの内側に配置された合成樹脂製の内ケースとを備え、
前記内ケースは、前記外ケースの内壁面に形成されたナノメートルサイズの多数の凹凸部を介して接合され、
前記内ケースで前記外ケースと前記蓋部材とを電気的に絶縁したことを特徴とする電波受信機器。
【請求項２】
請求項１に記載の電波受信機器において、前記内ケースには、前記外ケースの前記他端開口側に位置する端面よりも突出する突出部が形成され、この突出部で前記外ケースと前記蓋部材とを電気的に絶縁したことを特徴とする電波受信機器。
【請求項３】
請求項１〜請求項２のいずれかに記載の電波受信機器において、前記内ケースと前記蓋部材との間にパッキンが配置されていることを特徴とする電波受信機器。
【請求項４】
請求項１〜請求項３のいずれかに記載の電波受信機器において、前記蓋部材を前記外ケースに固定する締結部材を備えていることを特徴とする電波受信機器。
【請求項５】
請求項１〜請求項４のいずれかに記載の電波受信機器において、前記合成樹脂製の内ケースの内面には、前記アンテナを搭載したモジュールを位置規制するための位置規制部が形成されていることを特徴とする電波受信機器。
【請求項６】
筒状の時計ケースと、
この時計ケースの上部開口を閉塞して電波を透過する時計ガラスと、
前記時計ケースの下部開口を閉塞する金属製の蓋部材と、
前記時計ケース内に配置されたアンテナと
を備えた電波時計において、
前記時計ケースは、金属製の外ケースと、この外ケースの内側に配置された合成樹脂製の内ケースとを備え、
前記内ケースは、前記外ケースの内壁面に形成されたナノメートルサイズの多数の凹凸部を介して接合され、
前記内ケースで前記外ケースと前記蓋部材とを電気的に絶縁したことを特徴とする電波時計。
【発明の詳細な説明】
【技術分野】
【０００１】
この発明は、電波腕時計、携帯電話機、携帯情報端末機などのアンテナを備えた電波受信機器および電波時計に関する。
【背景技術】
【０００２】
例えば、電波腕時計においては、特許文献１に記載されているように、金属製の腕時計ケースの上部開口に時計ガラスを装着し、この腕時計ケースの下部開口に金属製の裏蓋を取り付け、この腕時計ケース内にアンテナを備えた時計モジュールを配置した構成のものが知られている。
【先行技術文献】
【特許文献】
【０００３】
【特許文献１】特開２００４−３４３６２５号公報
【発明の概要】
【発明が解決しようとする課題】
【０００４】
しかしながら、このような電波腕時計では、アンテナの側面及び下面が厚い金属で覆われるため、アンテナの受信感度が大きく低下する。特に、女持腕時計のように小型腕時計においては、アンテナと金属製の腕時計ケース内面とが近接するため、十分な受信感度が得られないという問題がある。また、金属製の腕時計ケースと金属製の裏蓋とが接触して導通していると、アンテナの磁芯の両端から発生する磁束によって、腕時計ケースと裏蓋とに渦電流が発生するため、この渦電流の発生を防ぐために腕時計ケースと裏蓋との間に絶縁部材を設けなけなければ、アンテナの受信性能を確保することができないという問題がある。
【０００５】
この発明が解決しようとする課題は、金属製の腕時計ケース及び金属製の裏蓋を使用しても十分な受信感度が得られ、しかも、金属製の腕時計ケースと金属製の裏蓋との絶縁も簡単に行なえる電波受信機器および電波時計を提供することである。
【課題を解決するための手段】
【０００６】
この発明は、筒状のケースと、このケースの一端開口を閉塞する電波透過部材と、前記ケースの他端開口を閉塞する金属製の蓋部材と、前記ケース内に配置されたアンテナとを備えた電波受信機器において、前記ケースは、金属製の外ケースと、この外ケースの内側に配置された合成樹脂製の内ケースとを備え、前記内ケースは、前記外ケースの内壁面に形成されたナノメートルサイズの多数の凹凸部を介して接合され、前記内ケースで前記外ケースと前記蓋部材とを電気的に絶縁したことを特徴とする電波受信機器である。
【発明の効果】
【０００７】
この発明によれば、金属製の外ケースの内側に配置された合成樹脂製の内ケースによってアンテナを金属製の外ケースから十分に離すことができるので、アンテナの受信感度を向上させることができる。また、合成樹脂製の内ケースによって、金属製の外ケースと金属製の蓋部材とが互いに接触するのを防ぐことができ、別部品としての絶縁部材を用いずに、外ケースと蓋部材とを電気的に絶縁することができる。
【図面の簡単な説明】
【０００８】
【図１】この発明を腕時計に適用した一実施形態を示した拡大正面図である。
【図２】図1に示された腕時計において、裏蓋を取り外した状態を示した拡大裏面図である。
【図３】図１に示された腕時計のＡ−Ａ矢視における要部の拡大断面図である。
【図４】図１に示された腕時計のＢ−Ｂ矢視における要部の拡大断面図である。
【図５】図4に示された腕時計において腕時計ケースと裏蓋との接合部分を更に拡大して示した要部の断面図である。
【図６】図5に示された腕時計ケースと裏蓋との接合部分における突出部の各変形例を示し、（ａ）はその突出部の第1変形例を示した要部の拡大断面図、（ｂ）はその突出部の第２変形例を示した要部の拡大断面図である。
【発明を実施するための形態】
【０００９】
以下、図１〜図５を参照して、この発明を腕時計に適用した一実施形態について説明する。
この腕時計は、図１に示すように、腕時計ケース１を備えている。この腕時計ケース１の３時側には、リュウズ２が設けられており、この腕時計ケース１の２時側、４時側、９時側には、それぞれ押釦スイッチ３が設けられている。また、この腕時計ケース１の１２時側と６時側とには、バンド取付部４がそれぞれ設けられている。
【００１０】
この場合、腕時計ケース１は、図１〜図３に示すように、ケース本体５と、このケース本体５の上部に設けられた金属製のベゼル６と、このベゼル６の内側上部に設けられた合成樹脂製の上部見切り部材７ａと、ベゼル６の内側下部に設けられた合成樹脂製の下部見切り部材７ｂとを備えている。ケース本体５は、図３に示すように、金属製の外ケース８と、この外ケース８の内側に配置された合成樹脂製の内ケース９と備えている。
【００１１】
この場合、外ケース８は、図３および図４に示すように、その上部が内ケース９の上部を覆うように内側に向けて突出して形成されている。金属製のベゼル６は、その下面に金属製の外ケース８の上部に位置する内周部に嵌着するリング状の嵌合部６ａが下側に突出して形成されている。また、このベゼル６における嵌合部６ａの上部には、ガラス装着部６ｂが設けられている。
【００１２】
これにより、ベゼル６は、図３および図４に示すように、その下面の嵌合部６ａが外ケース８の上部の内周部に上方から嵌め込まれることにより、外ケース８の上部にパッキン１０を介して取り付けられるように構成されている。また、上部見切り部材７ａは、ベゼル６のガラス装着部６ｂ内に接着剤や接着テープ（いずれも図示せず）によって接着されており、下部見切り部材７ｂは、ベゼル６の内周側に位置する下面に接着剤や接着テープ（いずれも図示せず）によって接着されている。
【００１３】
また、この腕時計ケース１の上部開口には、図１および図３に示すように、電波を透過する時計ガラス１１がパッキン１１ａを介して取り付けられており、この腕時計ケース１の下部には、金属製の裏蓋１２が防水パッキン１２ａを介して取り付けられている。さらに、この腕時計ケース１の内部には、図２および図３に示すように、時計モジュール１３が配置されている。
【００１４】
この場合、時計ガラス１１は、図３に示すように、腕時計ケース１のベゼル６のガラス装着部６ｂにパッキン１１ａを介して嵌め込まれることにより、上部見切り部材７をベゼル６のガラス装着部６ｂ内に押し付けて固定させた状態で、腕時計ケース１に取り付けられている。時計モジュール１３は、ハウジング１４を備えている。このハウジング１４には、図２および図３に示すように、アンテナ１５、回路基板１６、および電池１７などの時計機能に必要な各種の部品が搭載されている。
【００１５】
アンテナ１５は、図３に示すように、コア１５ａにコイル１５ｂを巻き付けたバーアンテナである。このアンテナ１５は、腕時計ケース１内の１２時側に位置する回路基板１６上に配置され、時刻データを含む標準電波を受信するように構成されている。この場合、アンテナ１５は、ケース本体５の合成樹脂製の内ケース９に接近していても、金属製の外ケース８までの距離（Ｋ）が十分に長くなるように配置されている。
【００１６】
また、この金属製の裏蓋１２の上面には、図３に示すように、アンテナ１５の受信感度を向上させるための磁性部材１９がアンテナ１５に対応して設けられている。この裏蓋１２は、図４に示すように、ねじ部材１８によって腕時計ケース１の下面に取り付けられている。すなわち、腕時計ケース１のケース本体５における外ケース８の下面には、図２および図４に示すように、ねじ穴２０が設けられており、裏蓋１２には、ねじ挿入孔２１がねじ穴２０に対応した状態で上下に貫通して設けられている。
【００１７】
ねじ部材１８は、図４に示すように、頭部１８ａとねじ部１８ｂとを有している。このねじ部材１８は、ねじ部１８ｂが裏蓋１２の下側からねじ挿入孔２１を通して外ケース８のねじ穴２０に螺入して締め付けられることにより、頭部１８ａが裏蓋１２を外ケース８に向けて押し付けた状態で取り付けるように構成されている。
【００１８】
ところで、腕時計ケース１のケース本体５は、図３〜図５に示すように、金属製の外ケース８に合成樹脂製の内ケース９をナノメートル技術によって接合した構成なっている。すなわち、外ケース８の内壁面には、ナノメートルサイズの多数の凹凸部２２が形成されている。内ケース９は、インサート成形によって外ケース８の内壁面に一体に形成されている。ここで、ナノメートルサイズとは、１０〜３００ナノメートル（以下、ｎｍと称する。）のサイズをいう。
【００１９】
この実施形態の場合、多数の凹凸部２２の超微細な穴の直径は、１０〜１００ｎｍのサイズの穴径であり、例えば２０〜３００ｎｍ、２０〜３０ｎｍのサイズの穴径である。また、多数の凹凸部２２の超微細な穴の深さは、２０ｎｍ程度である。さらに内ケース９の射出成形用の合成樹脂は、外ケース８の内壁面に形成されたナノメートルサイズの多数の凹凸部２２に食い込んで成形される。
【００２０】
また、内ケース９の下面には、図５に示すように、防水パッキン１２ａが装着する装着溝２３が環状に形成されている。この装着溝２３は、防水パッキン１２ａの下部側の一部が装着溝２３内から下側に突出した状態で配置され、この下側に突出した一部が裏蓋１２の上面に圧接するように構成されている。
【００２１】
また、この内ケース９の下面には、図５に示すように、外ケース８の下面よりも下側に突出する突出部２４が環状に形成されている。この場合、突起部２４は、内ケース９の下面における装着溝２３よりも外周側（図５では左側）に位置する箇所に設けられている。また、この突起部２４は、外ケース８に裏蓋１２が取り付けられた際に、外ケース８の下面と裏蓋１２の上面との間に僅かな隙間（Ｓ）、例えば０．１ｍｍ程度の隙間（Ｓ）を確保すように形成されている。
【００２２】
すなわち、このケース本体５は、図４に示すように、外ケース８の下面に裏蓋１２がねじ部材１８によって締め付けられて取り付けられた際に、図５に示すように、防水パッキン１２ａが内ケース９と裏蓋１２との間に圧縮されて配置されると共に、内ケース９の突起部２４が裏蓋１２の上面に圧接して外ケース８の下面と裏蓋１２の上面との間に僅かな隙間（Ｓ）を形成することにより、外ケース８と裏蓋１２とを電気的に絶縁するように構成されている。
【００２３】
また、合成樹脂製の内ケース８の内面には、図２に示すように、時計モジュール１３の回転位置を規制するための位置規制突起２５が形成されている。この位置規制突起２５は、内ケース８の内面における１２時と６時とに対応する箇所に形成されている。この位置規制突起２５は、時計モジュール１３のハウジング１４の外周面に設けられた位置規制凹部１４ａに係合することにより、腕時計ケース１内における時計モジュール１３の回転方向の位置を規制するように構成されている。
【００２４】
次に、このような腕時計ケース１のケース本体５を製作する場合について説明する。
この場合、腕時計ケース１のケース本体５は、金属製の外ケース８と合成樹脂製の内ケース９とを備えている。このため、ここでは、まず、ケース本体５の金属製の外ケース８と合成樹脂製の内ケース９との各材料について説明する。
【００２５】
金属製の外ケース８は、ステンレス、チタン、黄銅、アルミニウム、マグネシウム、あるいはこれらの金属元素のうちの少なくとも１つを含有する合金などの金属で形成されている。合成樹脂製の内ケース９は、ポリフェニレンスルファイド（ＰＰＳ）、ポリブチレンテレフタレート（ＰＢＴ）、ポリアミド（ＰＡ）、ポリフタルアミド（ＰＰＡ）、ポリエーテルケトン（ＰＥＥＫ）などの合成樹脂で形成されている。
【００２６】
このような金属製の外ケース８と合成樹脂製の内ケース９とを接合する場合には、まず、金属製の外ケース８の内周面をアルカリ液に浸漬させて脱脂処理を行い、この後、酸液に浸漬させて中和を図って洗浄する。次いで、金属製の外ケース８を侵食性水溶液または侵食性懸濁液に浸漬させて、外ケース８の内壁面にナノメートルサイズの多数の凹凸部２２を形成する。
【００２７】
このときには、外ケース８の外表面を冶具やマスクなどで覆って、外ケース８の内周面のみを露呈させて浸漬させることにより、外ケース８の内壁面のみにナノメートルサイズの多数の凹凸部２２を形成する。また、このナノメートルサイズの多数の凹凸部２２を形成するための侵食性水溶液または侵食性懸濁液としては、ヒドラジン、アンモニア、水溶性アミン類、またはアルカリ土類金属水酸化物などが用いられるが、これに限定されない。
【００２８】
そして、外ケース８を水洗して乾燥させた後、インサート成形によって外ケース８の内周面に合成樹脂製の内ケース９を形成する。このときには、外ケース８を射出成形用の金型内に配置し、この状態で射出成形用の合成樹脂を金型内に射出する。このときに、金型内に射出された射出成形用の合成樹脂が、外ケース８の内壁面に形成されたナノメートルサイズの多数の凹凸部２２に食い込んだ状態で、外ケース８の内周面に一体に形成される。
【００２９】
これにより、合成樹脂製の内ケース９が金型によって所定の形状で形成された状態で、金属製の外ケース８の内周面に接合される。この後、金型を離型して金型内から成形品を取り出すことにより、金属製の外ケース８の内周面に合成樹脂製の内ケース９が接合されて一体に形成されたケース本体５が得られる。
【００３０】
このように、この腕時計によれば、筒状の腕時計ケース１と、この腕時計ケース１の上部開口を閉塞して電波を透過する時計ガラス１１と、腕時計ケース１の下部開口を閉塞する金属製の裏蓋１２と、腕時計ケース１内に配置されたアンテナ１５とを備え、腕時計ケース１が、金属製の外ケース８と、この外ケース８の内側に配置された合成樹脂製の内ケース９とを有し、この内ケース９には、外ケース８の下部開口側に位置する下端面よりも下側に突出する突出部２４が形成され、この突出部２４で外ケース８と裏蓋１２とを電気的に絶縁した構成であるから、別部品としての絶縁部材を用いずに、アンテナ１５の受信感度を向上させることができる。
【００３１】
すなわち、この腕時計では、金属製の外ケース８の内側に配置された合成樹脂製の内ケース９に形成された突出部２４によって、金属製の外ケース８と金属製の裏蓋１２とが互いに接触するのを防ぐことができる。このため、別部品としての絶縁部材を用いずに、外ケース８と裏蓋９とを電気的に絶縁することができる。また、合成樹脂製の内ケース８における径方向の厚みによって、アンテナ１５を金属製の外ケース８から十分な距離（Ｋ）をもって離すことができるので、金属製の外ケース８に渦電流が発生するのを抑制することができ、これによりアンテナ１５の受信感度を向上させることができる。
【００３２】
また、この腕時計では、腕時計ケース１のケース本体５が金属製の外ケース８の内面に合成樹脂製の内ケース９を配置した構成であることにより、ケース本体５の金属部分の体積を内ケース９によって大幅に削減することができる。これにより、腕時計ケース１の重量を軽くすることができるので、腕時計ケース１全体の軽量化を図ることができると共に、軽量化を図っても、金属製の外ケース８によって金属性の外観を保つことができるので、デザイン的に高級化のあるものを得ることができる。
【００３３】
この場合、内ケース９の突起部２４は、外ケース８の下面よりも下側に突出した状態で、内ケース９の下面に環状に形成されているので、外ケース８に裏蓋１２が取り付けられた際に、外ケース８の下面と裏蓋１２の上面との間に僅かな隙間（Ｓ）、例えば０．１ｍｍ程度の隙間（Ｓ）を確保することができ、これにより外ケース８と裏蓋９とを確実に且つ良好に絶縁することができる。この場合、突起部２４は、内ケース９の下面における装着溝２３よりも外周側に位置する箇所に設けられていることにより、この突出部２４によって腕時計ケース１と裏蓋１２との間の防水性を図ることができる。
【００３４】
また、合成樹脂製の内ケース９は、金属製の外ケース８の内壁面に形成されたナノメートルサイズの多数の凹凸部２２を介して接合されていることにより、金属製の外ケース８の内壁面に合成樹脂製の内ケース９を確実に且つ強固に一体に形成することができる。すなわち、ナノメートルサイズの多数の凹凸部２２とは、１０〜１００ｎｍのサイズであり、金属製の外ケース８を侵食性水溶液または侵食性懸濁液に浸漬させることにより、容易にナノメートルサイズの多数の凹凸部２２を金属製の外ケース８の内壁面に形成することができる。
【００３５】
また、この金属製の外ケース８に合成樹脂製の内ケース９を接合する際には、外ケース８を射出成形用の金型内に配置し、この状態で射出成形用の合成樹脂を金型内に射出させ、この金型内に射出された射出成形用の合成樹脂を、外ケース８の内壁面に形成されたナノメートルサイズの多数の凹凸部２２に食い込ませた状態で、外ケース８の内壁面に内ケース９を確実に且つ強固に接合させて一体に形成することができる。このため、金属製の外ケース８と合成樹脂製の内ケース９との接合部分におけるバリア性を高めることができ、耐防水性を高めることができる。
【００３６】
また、この腕時計では、内ケース９と裏蓋１２との間に防水パッキン１２ａが配置されていることにより、腕時計ケース１と裏蓋１２との間の防水性を確保することができる。すなわち、防水パッキン１２ａは、内ケース９の下面に環状に形成された装着溝２３内に配置された際に、防水パッキン１２ａの下部側の一部が装着溝２３内から下側に突出して配置され、この下側に突出した一部が裏蓋１２の上面に圧接することにより、腕時計ケース１と裏蓋１２との間を確実に防水することができる。
【００３７】
この場合、防水パッキン１２ａは、内ケース９の装着溝２３内に配置された際に、防水パッキン１２ａの下部側の一部が内ケース９の突出部２４よりも装着溝２３内から下側に突出していることにより、腕時計ケース１のケース本体５の下面に裏蓋１２を取り付けるときに、防水パッキン１２ａの下部側の一部が裏蓋１２に接触した後に、内ケース９の突出部２４が裏蓋１２に押し当てられるので、防水パッキン１２ａを確実に裏蓋１２に圧接させることができる。
【００３８】
また、この腕時計では、裏蓋１２を外ケース８に固定する締結部材であるねじ部材１８を備えていることにより、裏蓋１２を外ケース８にねじ部材１８によって確実に固定することができる。すなわち、ねじ部材１８は、頭部１８ａとねじ部１８ｂとを有し、ねじ部１８ｂが裏蓋１２のねじ挿入孔２１を通して外ケース８のねじ穴２０に螺入して締め付けられることにより、頭部１８ａが裏蓋１２を外ケース８に向けて押し付けて取り付けることができるので、外ケース８に裏蓋１２を確実に固定することができる。
【００３９】
この場合、外ケース８の下面に裏蓋１２がねじ部材１８によって締め付けられて取り付けられた際には、防水パッキン１２ａを内ケース９と裏蓋１２との間に圧縮させた状態で確実に且つ良好に圧接させて配置することができると共に、内ケース９の突起部２４を裏蓋１２の上面に当接させて外ケース８の下面と裏蓋１２の上面との間に僅かな隙間（Ｓ）を形成させることができ、これにより外ケース８と裏蓋１２とを確実に且つ良好に電気的に絶縁することができる。
【００４０】
さらに、この腕時計によれば、腕時計ケース１が金属製の外ケース８の内面に合成樹脂製の内ケース９を配置した構成であることにより、合成樹脂製の内ケース９を射出成形する際に、これと同時に内ケース９の内面に時計モジュール１３の位置を規制するための位置規制突起２５を簡単に且つ容易に形成することができる。このため、合成樹脂製の中枠を用いなくても、腕時計ケース１内に時計モジュール１３を正確に位置決めすることができる。
【００４１】
すなわち、内ケース９に形成された位置規制突起２５を時計モジュール１３のハウジング１４の外周面に設けられた位置規制凹部１４ａに係合させれば良いので、腕時計ケース１と時計モジュール１３との間に位置規制突起２５を形成するための合成樹脂製の中枠を設ける必要がなく、内ケース９の位置規制突起２５によって時計モジュール１３を腕時計ケース１内に正確に且つ容易に位置規制することができる。
【００４２】
なお、上述した実施形態では、内ケース９の突出部２４が内ケース９の下面における防水パッキン１２ａよりも外周側に位置する箇所に設けた場合について述べたが、これに限らず、例えば図６（ａ）に示す第1変形例、または図６（ｂ）に示す第２変形例のように形成しても良い。
【００４３】
すなわち、図６（ａ）に示す第1変形例の突出部２６は、内ケース９の下面における防水パッキン１２ａよりも内周側（図６（ａ）では右側）に位置する箇所に設けた構成であっても良い。このように突出部２６を形成しても、上述した実施形態と同様、外ケース８と裏蓋１２との間に隙間（Ｓ）を形成して外ケース８と裏蓋１２とを確実に絶縁することができるほか、腕時計ケース１の外部から浸入した水が防水パッキン１２ａから漏れても、この漏れた水が内ケース９内に浸入するのを突出部２６によって防ぐことができる。
【００４４】
また、図６（ｂ）に示す第２変形例の突出部２７は、内ケース９の下面における防水パッキン１２ａの外側と内側との両方に位置する箇所にそれぞれ設けた構成であっても良い。このように構成すれば、内ケース９の下面に形成された一対の突出部２７によって外ケース８と裏蓋１２との間に確実に隙間（Ｓ）を形成することができるので、上述した実施形態よりも確実且つ良好に外ケース８と裏蓋１２とを電気的に絶縁することができる。
【００４５】
この場合、第２変形例における一対の突出部２７によれば、腕時計ケース１の外部から浸入する水を外側に位置する突出部２７で防水することができると共に、防水パッキン１２ａから更に内側に水が漏れても、この漏れた水を内側に位置する突出部２７で防水することができるので、上述した実施形態よりも、より一層、防水性を確保することができる。
【００４６】
さらに、上述した実施形態では、金属製の外ケース８の内壁面にナノメートルサイズの多数の凹凸部２２を形成し、このナノメートルサイズの多数の凹凸部２２によって金属製の外ケース８の内壁面に合成樹脂製の内ケース９を接合した場合について述べたが、これに限らず、例えば金属製の外ケース８の内壁面に合成樹脂製の内ケース９を接着剤によって接着した構成であっても良く、また外ケース８の内壁面にナノメートルサイズの多数の凹凸部２２を形成せずに、金属製の外ケース８の内壁面に合成樹脂製の内ケース９をインサート成形によって一体に形成した構成であっても良い。
【００４７】
また、上述した実施形態では、金属製の裏蓋１２をねじ部材１８によってケース本体５の金属製の外ケース８に取り付けた場合について述べたが、これに限らず、例えば金属製の裏蓋１２の上面にねじ部を環状に形成し、金属製の外ケース８の下面に裏蓋１２のねじ部が螺着するねじ穴を環状に形成した構成の締結部材であっても良い。
【００４８】
さらに、上述した実施形態およびその各変形例では、腕時計に適用した場合について述べたが、必ずしも腕時計である必要はなく、例えばトラベルウオッチ、目覚まし時計、置き時計、掛け時計などの各種の時計に適用することができるほか、必ずしも時計である必要はなく、携帯電話機、携帯情報端末機などのアンテナを備えた電波受信機器にも広く適用することができる。
【００４９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００５０】
（付記）
請求項１に記載の発明は、筒状のケースと、このケースの一端開口を閉塞する電波透過部材と、前記ケースの他端開口を閉塞する金属製の蓋部材と、前記ケース内に配置されたアンテナとを備えた電波受信機器において、
前記ケースは、金属製の外ケースと、この外ケースの内側に配置された合成樹脂製の内ケースとを有し、前記内ケースで前記外ケースと前記蓋部材とを電気的に絶縁したことを特徴とする電波受信機器である。
【００５１】
請求項２に記載の発明は、請求項１に記載の電波受信機器において、前記内ケースには、前記外ケースの前記他端開口側に位置する端面よりも突出する突出部が形成され、この突出部で前記外ケースと前記蓋部材とを電気的に絶縁したことを特徴とする電波受信機器である。
【００５２】
請求項３に記載の発明は、請求項１または請求項２に記載の電波受信機器において、前記内ケースは、前記外ケースの内壁面に形成されたナノメートルサイズの多数の凹凸部を介して接合されていることを特徴とする電波受信機器である。
【００５３】
請求項４に記載の発明は、請求項１〜請求項３のいずれかに記載の電波受信機器において、前記内ケースと前記蓋部材との間にパッキンが配置されていることを特徴とする電波受信機器である。
【００５４】
請求項５に記載の発明は、請求項１〜請求項４のいずれかに記載の電波受信機器において、前記蓋部材を前記外ケースに固定する締結部材を備えていることを特徴とする電波受信機器である。
【００５５】
請求項６に記載の発明は、請求項１〜請求項５のいずれかに記載の電波受信機器において、前記合成樹脂製の内ケースの内面には、前記アンテナを搭載したモジュールを位置規制するための位置規制部が形成されていることを特徴とする電波受信機器である。
【００５６】
請求項７に記載の発明は、筒状の時計ケースと、この時計ケースの上部開口を閉塞して電波を透過する時計ガラスと、前記時計ケースの下部開口を閉塞する金属製の蓋部材と、前記時計ケース内に配置されたアンテナとを備えた電波時計において、
前記時計ケースは、金属製の外ケースと、この外ケースの内側に配置された合成樹脂製の内ケースとを有し、前記内ケースで前記外ケースと前記蓋部材とを電気的に絶縁したことを特徴とする電波時計である。
【符号の説明】
【００５７】
１  腕時計ケース
５  ケース本体
８  金属製の外ケース
９  合成樹脂製の内ケース
１１  時計ガラス
１２  金属製の裏蓋
１２ａ  防水パッキン
１３  時計モジュール
１５  アンテナ
１８  ねじ部材
２２  ナノメートルサイズの多数の凹凸部
２４、２６、２７  突出部
２５  位置規制突起
【図１】
0005800199.tif 000002
【図２】
0005800199.tif 000003
【図３】
0005800199.tif 000004
【図４】
0005800199.tif 000005
【図５】
0005800199.tif 000006
【図６】
0005800199.tif 000007